(57)【要約】【課題】  木造建築物の軸組間に配置され壁面構造に使用される壁面材に関し、耐震化を容易に実現できる建築用耐震壁面材を提供する。【解決手段】  貫構造を備えた建築用耐震壁面材であって、複数の貫板４を間に挟みながら上下に連続して小幅無垢板を実矧ぎ連結して成る四角形の面材Ａと、斜めに連続して小幅無垢板を実矧ぎ連結して成る四角形の面材Ｂ，Ｃと、左右一対の縦枠１と上下一対の横枠２とから成る壁枠とを有し、左右一対の縦枠１それぞれに内向きあう貫穴３を設けて貫板４の両端を挿入して固定し、さらには、該面材Ａの両面に、該面材Ｂ，Ｃを取り付けて三層構造壁とし、且つ、三層それぞれの該面材Ａ，Ｂ，Ｃを構成する小幅無垢板が互いに斜交して重なり合う構造であって、さらには、上下一対の横枠２を取り付け、これらを一体に形成したことを特徴とした。【選択図】図１
2018204415.tif 000002
【特許請求の範囲】
【請求項１】
貫構造を備えた建築用耐震壁面材であって、複数の貫板を間に挟みながら上下に連続して小幅無垢板を実矧ぎ連結して成る四角形の面材Ａと、斜めに連続して小幅無垢板を実矧ぎ連結して成る四角形の面材Ｂ，Ｃと、左右一対の縦枠と上下一対の横枠とから成る壁枠とを有し、左右一対の縦枠それぞれに内向きあう貫穴を設けて貫板の両端を挿入して固定し、さらには、該面材Ａの両面に、該面材Ｂ，Ｃを取り付けて三層構造壁とし、且つ、三層それぞれの該面材Ａ，Ｂ，Ｃを構成する小幅無垢板が互いに斜交して重なり合う構造であって、さらには、上下一対の横枠を取り付け、これらを一体に形成したことを特徴とする建築用耐震壁面材。
【請求項２】
小幅無垢板を実矧ぎ連結して成る面材を三層に複層斜交重ね合わせたことを特徴とする請求項１に記載の建築用耐震壁面材。
【請求項３】
三層構造の重ね順に関係なく、斜めに連続して小幅無垢板を実矧ぎ連結して成る面材どうしは、互いに小幅無垢板が斜交して重なり合う複層斜交重ねを特徴とする請求項１に記載の建築用耐震壁面材。
【請求項４】
斜めに連続して実矧ぎ結合する小幅無垢板は、壁枠に対して面材Ａは実矧ぎ溝から、面材Ｂ，Ｃは板目面から斜めにビスで取り付けることを特徴とする請求項１に記載の建築用耐震壁面材。
【請求項５】
三層目の面材を重ね付けする前に、現場で壁枠を木造軸組内に取り付け固定することを特徴とする請求項１に記載の建築用耐震壁面材。
【請求項６】
貫板を貫穴に固定する際に、該貫穴の脇に杉単板集成材の桟木をビス止めして設けたことを特徴とする請求項１に記載の建築用耐震壁面材。
【発明の詳細な説明】
【技術分野】
【０００１】  本発明は、木造建築物の軸組間に配置され壁面構造に使用される壁面材に関し、詳しくは、建築用耐震壁面材に関する。
【背景技術】
【０００２】  従来より、建物の耐震強度を向上させるために、耐力壁パネルや耐震装置や制振構造など、様々な提案がされている。
【先行技術文献】
【特許文献】
【０００３】
【特許文献１】実用新案登録第３１６２３９３号公報（段落番号０００９、図１）
【発明の概要】
【発明が解決しようとする課題】
【０００４】  上記の制振耐力壁パネルによれば、振動の分散・吸収をしやすくする構造であることから、その点では建物にかかる制振効果に期待ができるといえる。【０００５】  しかしながら、上述の考案は、制振効果に期待できるものの、強い地震に対する耐震効果に於いては問題がないわけではない。【０００６】本発明は、上記従来有する問題点に鑑み、木造建築物の軸組間に配置され壁面構造に使用される壁面材に関し、耐震化を容易に実現できる建築用耐震壁面材を提供しようとするものである。
【課題を解決するための手段】
【０００７】  本発明の建築用耐震壁面材は、貫構造を備えた建築用耐震壁面材であって、複数の貫板４を間に挟みながら上下に連続して小幅無垢板を実矧ぎ連結して成る四角形の面材Ａと、斜めに連続して小幅無垢板を実矧ぎ連結して成る四角形の面材Ｂ，Ｃと、左右一対の縦枠１と上下一対の横枠２とから成る壁枠とを有し、左右一対の縦枠１それぞれに内向きあう貫穴３を設けて貫板４の両端を挿入して固定し、さらには、該面材Ａの両面に、該面材Ｂ，Ｃを取り付けて三層構造壁とし、且つ、三層それぞれの該面材Ａ，Ｂ，Ｃを構成する小幅無垢板が互いに斜交して重なり合う構造であって、さらには、上下一対の横枠２を取り付け、これらを一体に形成したことを特徴とした。
【発明の効果】
【０００８】  本発明によれば、木造建築物の軸組間に配置して嵌め込み、これを固定して壁面構造として使用することから、建築現場での施工が容易であり、また、貫を内蔵した壁構造に連設して小幅無垢板を実矧ぎ連結して成る面材と小幅無垢板を斜めに実矧ぎ連結して成る面材どうしが互いに斜交して重なり合う複層斜交重ね構造の効果から、制振性・耐力性に加え、優れた耐震性を有した建築用耐震壁面材として効果が期待できる。【０００９】  これらは、日本の森林資源を無駄なく活用しながら、製品製造が可能であり、しかも、セミプレファブ化した取付により、新築のみならず既存の木造建物の耐震化を実現することが期待できる。
【図面の簡単な説明】
【００１０】
【図１】  本発明に於ける建築用耐震壁面材の分解正面図である。
【図２】  本発明に於ける建築用耐震壁面材の面材Ａと縦枠との関係を表す分解正面図である。
【図３】  本発明に於ける建築用耐震壁面材の面材Ｂと面材Ｃの正面図である。
【図４】  図１のＤ−Ｅ矢視断面であって、本発明に於ける建築用耐震壁面材の断面図である。
【発明を実施するための形態】
【００１１】  以下、本発明の実施の形態について、図面を参照して説明する。
図１・図２・図３・図４に示すように、本発明の建築用耐震壁面材は、貫構造を備えた建築用耐震壁面材であって、複数の貫板４を間に挟みながら上下に連続して小幅無垢板を実矧ぎ連結して成る四角形の面材Ａと、斜めに連続して小幅無垢板を実矧ぎ連結して成る四角形の面材Ｂ，Ｃと、左右一対の縦枠１と上下一対の横枠２とから成る壁枠とを有し、左右一対の縦枠１それぞれに内向きあう貫穴３を設けて貫板４の両端を挿入して固定し、さらには、該面材Ａの両面に、該面材Ｂ，Ｃを取り付けて三層構造壁とし、且つ、三層それぞれの該面材Ａ，Ｂ，Ｃを構成する小幅無垢板が互いに斜交して重なり合う構造であって、さらには、上下一対の横枠２を取り付け、これらを一体に形成したことを特徴とし、木造建築物の軸組間に配置して嵌め込み、これを固定して壁面構造に使用する。
【符号の説明】
【００１２】    Ａ      複数の貫板を間に挟みながら上下に連続して小幅無垢板を実矧ぎ連結して成            る四角形の面材
Ｂ，Ｃ  斜めに連続して小幅無垢板を実矧ぎ連結して成る四角形の面材
１      縦枠
２      横枠
３      貫穴
４      貫板
【図１】
2018204415.tif 000003
【図２】
2018204415.tif 000004
【図３】
2018204415.tif 000005
【図４】
2018204415.tif 000006
【手続補正書】
【提出日】平成29年9月11日(2017.9.11)
【手続補正１】
【補正対象書類名】特許請求の範囲
【補正対象項目名】請求項４
【補正方法】変更
【補正の内容】
【請求項４】
斜めに連続して実矧ぎ結合する小幅無垢板は、壁枠に対して面材Ａは実矧ぎ溝から、面材Ｂ，Ｃは板目面から斜めにビスで取り付けることまたは面材Ａ，Ｂ，Ｃいずれかをビス留めしないことを特徴とする請求項１に記載の建築用耐震壁面材。
【手続補正２】
【補正対象書類名】図面
【補正対象項目名】図４
【補正方法】変更
【補正の内容】
【図４】
2018204415.tif 000007
【手続補正３】
【補正対象書類名】図面
【補正対象項目名】図５
【補正方法】追加
【補正の内容】
【図５】
2018204415.tif 000008
【手続補正４】
【補正対象書類名】明細書
【補正対象項目名】００１０
【補正方法】変更
【補正の内容】
【００１０】
【図１】本発明に於ける建築用耐震壁面材の分解正面図である。
【図２】本発明に於ける建築用耐震壁面材の面材Ａと縦枠との関係を表す分解正面図である。
【図３】本発明に於ける建築用耐震壁面材の面材Ｂと面材Ｃの正面図である。
【図４】図１のＤ−Ｅ矢視断面であって、本発明に於ける建築用耐震壁面材の断面図である。
【図５】本発明に於ける建築用耐震壁面材の縦枠と桟木と貫穴との関係を表す、該縦枠の内側面図である。
【手続補正５】
【補正対象書類名】明細書
【補正対象項目名】００１２
【補正方法】変更
【補正の内容】
【００１２】Ａ      複数の貫板を間に挟みながら上下に連続して小幅無垢板を実矧ぎ連結して成る四        角形の面材
Ｂ，Ｃ  斜めに連続して小幅無垢板を実矧ぎ連結して成る四角形の面材
１      縦枠
２      横枠
３      貫穴
４      貫板
５      桟木